(57)【要約】  本出願の実施例は、充電制御方法、装置及びコンピュータ記憶媒体を開示し、当該方法は、充電対象機器に適用され、当該方法は、充電対象機器の充電中に、充電対象機器内のバッテリに対してＫ段階の定電流充電を行うステップであって、Ｋは１以上の正の整数であるステップと、前記Ｋ段階における各定電流充電段階について、それぞれ当該定電流充電段階に対応する予め設定された電流に従って前記バッテリを定電流充電して、前記バッテリを当該定電流充電段階に対応する予め設定された電圧まで充電するステップであって、第Ｋの定電流充電段階に対応する予め設定された電圧は、充電カットオフ電圧であり、前記充電カットオフ電圧は、前記バッテリの定格電圧より大きいステップと、第Ｋの定電流充電段階において、前記バッテリの電圧が前記充電カットオフ電圧に達したことが検出された場合、前記バッテリへの充電を停止するステップと、を含む。
2021511001.tif 000002
【特許請求の範囲】
【請求項１】
充電対象機器に適用される充電制御方法であって、
前記方法は、
前記充電対象機器の充電中に、前記充電対象機器内のバッテリに対してＫ段階の定電流充電を行うステップであって、Ｋは１以上の正の整数であるステップと、
前記Ｋ段階における各定電流充電段階について、それぞれ当該定電流充電段階に対応する予め設定された電流に従って前記バッテリを定電流充電して、前記バッテリを当該定電流充電段階に対応する予め設定された電圧まで充電するステップであって、第Ｋの定電流充電段階に対応する予め設定された電圧は、充電カットオフ電圧であり、前記充電カットオフ電圧は、前記バッテリの定格電圧より大きいステップと、
第Ｋの定電流充電段階において、前記バッテリの電圧が前記充電カットオフ電圧に達したことが検出された場合、前記バッテリへの充電を停止するステップと、を含む、
ことを特徴とする充電制御方法。
【請求項２】
前記Ｋ段階における各定電流充電段階について、それぞれ当該定電流充電段階に対応する予め設定された電流に従って前記バッテリを定電流充電して、前記バッテリを当該定電流充電段階に対応する予め設定された電圧まで充電するステップは、
前のＫ−１段階における第ｉの定電流充電段階では、第ｉの予め設定された電流で前記バッテリを定電流充電して、前記バッテリを第ｉの予め設定された電圧まで充電するステップであって、ｉは、１以上であり、且つＫ−１以下の正の整数であり、第ｉ＋１の予め設定された電流は、前記第ｉの予め設定された電流より小さいステップと、
第Ｋの定電流充電段階では、第Ｋの予め設定された電流で前記バッテリを定電流充電して、前記バッテリを第Ｋの予め設定された電圧まで充電するステップであって、前記第Ｋの予め設定された電流は、第Ｋ−１の予め設定された電流より小さく、前記第Ｋの予め設定された電圧は、前記充電カットオフ電圧であるステップと、を含む、
ことを特徴とする請求項１に記載の充電制御方法。
【請求項３】
前記第ｉの予め設定された電圧は、前記バッテリの定格電圧より大きい、
ことを特徴とする請求項２に記載の充電制御方法。
【請求項４】
前記Ｋ段階における各定電流充電段階について、前記方法は、
各定電流充電段階内の前記バッテリの電圧を検出するステップをさらに含む、
ことを特徴とする請求項２に記載の充電制御方法。
【請求項５】
第ｉの定電流充電段階について、前記各定電流充電段階内の前記バッテリの電圧を検出するステップの後に、前記方法は、
前記バッテリの電圧が第ｉの予め設定された電圧に等しいことが検出された場合、前記充電対象機器を制御して第ｉ＋１の定電流充電段階に入り、第ｉ＋１の予め設定された電流で前記バッテリを定電流充電するステップをさらに含む、
ことを特徴とする請求項４に記載の充電制御方法。
【請求項６】
第ｉの定電流充電段階について、前記各定電流充電段階内の前記バッテリの電圧を検出するステップの後に、前記方法は、
前記バッテリの電圧が第ｉの予め設定された電圧に等しいことが検出された場合、前記第ｉの予め設定された電圧に基づいて前記バッテリを定電圧充電するステップと、
前記バッテリの電流が第ｉ＋１の予め設定された電流に等しいことが検出された場合、前記充電対象機器を制御して第ｉ＋１の定電流充電段階に入り、前記第ｉ＋１の予め設定された電流で前記バッテリを定電流充電するステップと、をさらに含む、
ことを特徴とする請求項４に記載の充電制御方法。
【請求項７】
前記バッテリの電流が第ｉ＋１の予め設定された電流に等しいことが検出されるステップの前に、前記方法は、
各定電流充電段階内の前記バッテリの電流を検出するステップをさらに含む、
ことを特徴とする請求項６に記載の充電制御方法。
【請求項８】
前記充電対象機器の充電モードは、無線充電モードと有線充電モードとを含み、前記方法は、
前記充電モードを選択することによって、前記充電対象機器を制御して無線充電モード又は有線充電モードで前記バッテリを充電するステップをさらに含む、
ことを特徴とする請求項１〜７のいずれかに記載の充電制御方法。
【請求項９】
前記バッテリは、単一セル構造のバッテリとＮ個のセル構造のバッテリとを含み、Ｎは、１より大きい正の整数である、
ことを特徴とする請求項１〜８のいずれかに記載の充電制御方法。
【請求項１０】
充電対象機器に適用される充電制御装置であって、
前記充電制御装置は、充電ユニットと、検出ユニットと、制御ユニットと、を含み、
前記充電ユニットは、前記充電対象機器の充電中に、前記充電対象機器内のバッテリに対してＫ段階の定電流充電を行うように構成され、Ｋは１以上の正の整数であり、
前記充電ユニットは、さらに、前記Ｋ段階における各定電流充電段階について、それぞれ当該定電流充電段階に対応する予め設定された電流に従って前記バッテリを定電流充電して、前記バッテリを当該定電流充電段階に対応する予め設定された電圧まで充電するように構成され、第Ｋの定電流充電段階に対応する予め設定された電圧は、充電カットオフ電圧であり、前記充電カットオフ電圧は、前記バッテリの定格電圧より大きく、
前記制御ユニットは、第Ｋの定電流充電段階において、前記検出ユニットによって前記バッテリの電圧が前記充電カットオフ電圧に達したことが検出された場合、前記バッテリへの充電を停止するように構成される、
ことを特徴とする充電制御装置。
【請求項１１】
前記充電ユニットは、具体的には、前のＫ−１段階における第ｉの定電流充電段階では、第ｉの予め設定された電流で前記バッテリを定電流充電して、前記バッテリを第ｉの予め設定された電圧まで充電し、ｉは、１以上であり、且つＫ−１以下の正の整数であり、第ｉ＋１の予め設定された電流は、前記第ｉの予め設定された電流より小さく、第Ｋの定電流充電段階では、第Ｋの予め設定された電流で前記バッテリを定電流充電して、前記バッテリを第Ｋの予め設定された電圧まで充電し、前記第Ｋの予め設定された電流は、第Ｋ−１の予め設定された電流より小さく、前記第Ｋの予め設定された電圧は、前記充電カットオフ電圧である、
ことを特徴とする請求項１０に記載の充電制御装置。
【請求項１２】
前記第ｉの予め設定された電圧は、前記バッテリの定格電圧より大きい、
ことを特徴とする請求項１１に記載の充電制御装置。
【請求項１３】
前記検出ユニットは、具体的には、各定電流充電段階内の前記バッテリの電圧を検出するように構成される、
ことを特徴とする請求項１１に記載の充電制御装置。
【請求項１４】
第ｉの定電流充電段階について、前記制御ユニットは、さらに、前記バッテリの電圧が第ｉの予め設定された電圧に等しいことが検出された場合、前記充電対象機器を制御して第ｉ＋１の定電流充電段階に入り、第ｉ＋１の予め設定された電流で前記バッテリを定電流充電するように構成される、
ことを特徴とする請求項１３に記載の充電制御装置。
【請求項１５】
第ｉの定電流充電段階について、前記充電ユニットは、さらに、前記バッテリの電圧が第ｉの予め設定された電圧に等しいことが検出された場合、前記第ｉの予め設定された電圧に基づいて前記バッテリを定電圧充電するように構成され、
前記制御ユニットは、さらに、前記バッテリの電流が第ｉ＋１の予め設定された電流に等しいことが検出された場合、前記充電対象機器を制御して第ｉ＋１の定電流充電段階に入り、前記第ｉ＋１の予め設定された電流で前記バッテリを定電流充電するように構成される、
ことを特徴とする請求項１３に記載の充電制御装置。
【請求項１６】
前記検出ユニットは、さらに、各定電流充電段階内の前記バッテリの電流を検出するように構成される、
ことを特徴とする請求項１５に記載の充電制御装置。
【請求項１７】
前記充電対象機器の充電モードは、無線充電モードと有線充電モードとを含み、前記制御ユニットは、さらに、前記充電モードを選択することによって、前記充電対象機器を制御して無線充電モード又は有線充電モードで前記バッテリを充電するように構成される、
ことを特徴とする請求項１０〜１６のいずれかに記載の充電制御装置。
【請求項１８】
前記バッテリは、単一セル構造のバッテリとＮ個のセル構造のバッテリとを含み、Ｎは、１より大きい正の整数である、
ことを特徴とする請求項１０〜１７のいずれかに記載の充電制御装置。
【請求項１９】
充電制御装置であって、
前記充電制御装置は、メモリとプロセッサとを含み、
前記メモリは、前記プロセッサで実行可能なコンピュータプログラムを記憶し、
前記プロセッサは、前記コンピュータプログラムが実行される場合に、請求項１〜９のいずれかに記載の方法のステップを実行する、
ことを特徴とする充電制御装置。
【請求項２０】
充電制御プログラムが記憶されているコンピュータ記憶媒体であって、
前記充電制御プログラムが、少なくとも一つのプロセッサによって実行される場合に、請求項１〜９のいずれかに記載の方法のステップを実現する、
ことを特徴とするコンピュータ記憶媒体。
【請求項２１】
充電対象機器であって、
前記充電対象機器は、少なくとも請求項１０〜１９のいずれかに記載の充電制御装置を含む、
ことを特徴とする充電対象機器。
【発明の詳細な説明】
【技術分野】
【０００１】
本出願の実施例は、充電技術の分野に関し、特に、充電制御方法、装置及びコンピュータ記憶媒体に関する。
【背景技術】
【０００２】
現在、電子機器の充電フローは、トリクル、定電流、定電圧充電段階に分けることができる。既存の充電フローによれば、バッテリの電圧定電流充電電圧ポイントに達したことを検出した後、定電圧充電に入り、充電カットオフ条件が満たされるまで定電圧充電段階に維持された後、充電が終了する。定電圧充電段階全体の充電電圧がバッテリの定格電圧を超えることはない。このように、定電圧充電時間が長くなるため、全体の充電時間が長くなりすぎ、時間が無駄になり、且つ充電速度が低下する。
【発明の概要】
【発明が解決しようとする課題】
【０００３】
このように、本出願の実施例は、定電圧充電プロセスを取り除くことによって、充電時間を節約し、充電速度を向上させる充電制御方法、装置及びコンピュータ記憶媒体を提供することが期待されている。
【課題を解決するための手段】
【０００４】
本出願の実施例の技術案は、以下のように実現することができる。
第１の側面において、本出願の実施例は、充電対象機器に適用される充電制御方法を提供し、前記方法は、
前記充電対象機器の充電中に、前記充電対象機器内のバッテリに対してＫ段階の定電流充電を行うステップであって、Ｋは１以上の正の整数であるステップと、
前記Ｋ段階における各定電流充電段階について、それぞれ当該定電流充電段階に対応する予め設定された電流に従って前記バッテリを定電流充電して、前記バッテリを当該定電流充電段階に対応する予め設定された電圧まで充電するステップであって、第Ｋの定電流充電段階に対応する予め設定された電圧は、充電カットオフ電圧であり、前記充電カットオフ電圧は、前記バッテリの定格電圧より大きいステップと、
第Ｋの定電流充電段階において、前記バッテリの電圧が前記充電カットオフ電圧に達したことが検出された場合、前記バッテリへの充電を停止するステップと、を含む。
【０００５】
上記の技術案において、前記Ｋ段階における各定電流充電段階について、それぞれ当該定電流充電段階に対応する予め設定された電流に従って前記バッテリを定電流充電して、前記バッテリを当該定電流充電段階に対応する予め設定された電圧まで充電するステップは、
前のＫ−１段階内における第ｉの定電流充電段階では、第ｉの予め設定された電流で前記バッテリを定電流充電して、前記バッテリを第ｉの予め設定された電圧まで充電するステップであって、ｉは、１以上であり、且つＫ−１以下の正の整数であり、第ｉ＋１の予め設定された電流は、前記第ｉの予め設定された電流より小さいステップと、
第Ｋの定電流充電段階では、第Ｋの予め設定された電流で前記バッテリを定電流充電して、前記バッテリを第Ｋの予め設定された電圧まで充電するステップであって、前記第Ｋの予め設定された電流は、第Ｋ−１の予め設定された電流より小さく、前記第Ｋの予め設定された電圧は、前記充電カットオフ電圧であるステップと、を含む。
【０００６】
上記の技術案において、前記第ｉの予め設定された電圧は、前記バッテリの定格電圧より大きい。
【０００７】
上記の技術案において、前記Ｋ段階における各定電流充電段階について、前記方法は、
各定電流充電段階内の前記バッテリの電圧を検出するステップをさらに含む。
【０００８】
上記の技術案において、第ｉの定電流充電段階について、前記各定電流充電段階内の前記バッテリの電圧を検出するステップの後に、前記方法は、
前記バッテリの電圧が第ｉの予め設定された電圧に等しいことが検出された場合、前記充電対象機器を制御して第ｉ＋１の定電流充電段階に入り、第ｉ＋１の予め設定された電流で前記バッテリを定電流充電するステップをさらに含む。
【０００９】
上記の技術案において、第ｉの定電流充電段階について、前記各定電流充電段階内の前記バッテリの電圧を検出するステップの後に、前記方法は、
前記バッテリの電圧が第ｉの予め設定された電圧に等しいことが検出された場合、前記第ｉの予め設定された電圧に基づいて前記バッテリを定電圧充電するステップと、
前記バッテリの電流が第ｉ＋１の予め設定された電流に等しいことが検出された場合、前記充電対象機器を制御して第ｉ＋１の定電流充電段階に入り、前記第ｉ＋１の予め設定された電流で前記バッテリを定電流充電するステップと、をさらに含む。
【００１０】
上記の技術案において、前記バッテリの電流が第ｉ＋１の予め設定された電流に等しいことが検出された前に、前記方法は、
各定電流充電段階内の前記バッテリの電流を検出するステップをさらに含む。
【００１１】
上記の技術案において、前記充電対象機器の充電モードは、無線充電モードと有線充電モードとを含み、前記方法は、
前記充電モードを選択することによって、前記充電対象機器を無線充電モード又は有線充電モードで前記バッテリに充電するように制御するステップをさらに含む。
【００１２】
上記の技術案において、前記バッテリは、単一セル構造のバッテリとＮ個のセル構造のバッテリとを含み、Ｎは、１より大きい正の整数である。
【００１３】
第２において、本出願の実施例は、充電対象機器に適用される充電制御装置を提供し、
前記充電制御装置は、充電ユニットと、検出ユニットと、制御ユニットとを含み、
前記充電ユニットは、前記充電対象機器の充電中に、前記充電対象機器内のバッテリに対してＫ段階の定電流充電を行うように構成され、Ｋは１以上の正の整数であり、
前記充電ユニットは、さらに、前記Ｋ段階における各定電流充電段階について、当該定電流充電段階に対応する予め設定された電流に従って前記バッテリをそれぞれ定電流充電して、前記バッテリを当該定電流充電段階に対応する予め設定された電圧まで充電するように構成され、第Ｋの定電流充電段階に対応する予め設定された電圧は、充電カットオフ電圧であり、前記充電カットオフ電圧は、前記バッテリの定格電圧より大きく、
前記制御ユニットは、第Ｋの定電流充電段階で、前記検出ユニットによって前記バッテリの電圧が前記充電カットオフ電圧に達したことが検出された場合、前記バッテリへの充電を停止するように構成される。
【００１４】
上記の技術案において、前記充電ユニットは、具体的には、前のＫ−１段階内における第ｉの定電流充電段階では、第ｉの予め設定された電流で前記バッテリを定電流充電して、前記バッテリを第ｉの予め設定された電圧まで充電し、ｉは、１以上であり、且つＫ−１以下の正の整数であり、第ｉ＋１の予め設定された電流は、前記第ｉの予め設定された電流より小さく、第Ｋの定電流充電段階では、第Ｋの予め設定された電流で前記バッテリを定電流充電して、前記バッテリを第Ｋの予め設定された電圧まで充電するように構成され、前記第Ｋの予め設定された電流は、第Ｋ−１の予め設定された電流より小さく、前記第Ｋの予め設定された電圧は、前記充電カットオフ電圧である。
【００１５】
上記の技術案において、前記第ｉの予め設定された電圧は、前記バッテリの定格電圧より大きい。
【００１６】
上記の技術案において、前記検出ユニットは、具体的には、各定電流充電段階内の前記バッテリの電圧を検出するように構成される。
【００１７】
上記の技術案において、第ｉの定電流充電段階について、前記制御ユニットは、さらに、前記バッテリの電圧が第ｉの予め設定された電圧に等しいことが検出された場合、前記充電対象機器を制御して第ｉ＋１の定電流充電段階に入り、第ｉ＋１の予め設定された電流で前記バッテリを定電流充電するように構成される。
【００１８】
上記の技術案において、第ｉの定電流充電段階について、前記充電ユニットは、さらに、前記バッテリの電圧が第ｉの予め設定された電圧に等しいことが検出された場合、前記第ｉの予め設定された電圧に基づいて前記バッテリを定電圧充電するように構成され、
前記制御ユニットは、さらに、前記バッテリの電流が第ｉ＋１の予め設定された電流に等しいことが検出された場合、前記充電対象機器を制御して第ｉ＋１の定電流充電段階に入り、前記第ｉ＋１の予め設定された電流で前記バッテリを定電流充電するように構成される。
【００１９】
上記の技術案において、前記検出ユニットは、さらに、各定電流充電段階内の前記バッテリの電流を検出するように構成される。
【００２０】
上記の技術案において、前記充電対象機器の充電モードは、無線充電モードと有線充電モードとを含み、前記制御ユニットは、さらに、前記充電モードを選択することによって、前記充電対象機器を制御して無線充電モード又は有線充電モードで前記バッテリに充電するように構成される。
【００２１】
上記の技術案において、前記バッテリは、単一セル構造のバッテリとＮ個のセル構造のバッテリとを含み、Ｎは、１より大きい正の整数である。
【００２２】
第３の側面において、本出願の実施例は、充電制御装置を提供し、前記充電制御装置は、メモリとプロセッサとを含み、
前記メモリは、前記プロセッサで実行可能なコンピュータプログラムを記憶するために用いられ、
前記プロセッサは、前記コンピュータプログラムが実行される場合に、第１の側面のいずれかに記載の方法のステップを実行するために用いられる。
【００２３】
第４の側面において、本出願の実施例は、充電制御プログラムが記憶されているコンピュータ記憶媒体を提供し、前記充電制御プログラムが、少なくとも一つのプロセッサによって実行される場合に、第１の態様のいずれかに記載の方法のステップを実現する。
【００２４】
第５の側面において、本出願の実施例は、充電対象機器を提供し、前記充電対象機器は、少なくとも第２の側面のいずれかに記載の充電制御装置、又は第３の側面に記載の充電制御装置を含む。
【発明の効果】
【００２５】
本出願の実施例は、充電制御方法、装置及びコンピュータ記憶媒体を提供し、当該方法は、充電対象機器に適用され、前記充電対象機器の充電中に、前記充電対象機器内のバッテリに対してＫ段階の定電流充電を行い、Ｋは１以上の正の整数であり、Ｋ段階における各定電流充電段階について、当該定電流充電段階に対応する予め設定された電流に従って前記バッテリをそれぞれ定電流充電して、前記バッテリを当該定電流充電段階に対応する予め設定された電圧まで充電し、第Ｋの定電流充電段階に対応する予め設定された電圧は、充電カットオフ電圧であり、前記充電カットオフ電圧は、前記バッテリの定格電圧より大きく、第Ｋの定電流充電段階において、前記バッテリの電圧が前記充電カットオフ電圧に達したことが検出された場合、前記バッテリへの充電を停止し、当該充電プロセスは、多段階式定電流充電を採用し、第Ｋの定電流充電段階後に前記バッテリへの充電を停止し、すなわち定電圧充電段階を取り除くことによって、充電時間の節約と充電速度の向上を図る目的を達することができる。
【図面の簡単な説明】
【００２６】
【図１】関連技術案における階段式充電技術の概略構成図である。
【図２】本出願の実施例により提供される充電対象機器の構成の概略構成図である。
【図３】本出願の実施例により提供される充電制御方法の概略フローチャートである。
【図４】本出願の実施例により提供される充電制御技術の概略構成図である。
【図５】本出願の実施例により提供される別の充電制御技術の概略構成図である。
【図６】本出願の実施例により提供される充電制御装置の構成の概略構成図である。
【図７】本出願の実施例により提供される充電制御装置の具体的なハードウェアの概略構成図である。
【図８】本出願の実施例により提供される別の充電対象機器の構成の概略構成図である。
【発明を実施するための形態】
【００２７】
本出願の実施例の特徴及び技術的内容をより詳細に理解するために、以下、図面を組み合わせて本出願の実施例の実現を詳細に説明し、添付の図面は、本出願の実施例を限定するためのものではなく、添付の図面を参照して説明するためのものである。
【００２８】
充電技術の急速な発展に伴い、現在は主に有線充電技術と無線充電技術に分けられる。ユーザが充電対象機器に充電する場合、充電ケーブルを介して充電対象機器と充電機器（例えば異なるタイプのアダプタなど）を接続し、充電対象機器の充電を実現することを、有線充電技術と称する。しかしながら、充電ケーブルが紛失した場合、又はユーザが充電対象機器と充電機器との間に一定の距離を置きたがる場合、無線充電技術によって充電対象機器に充電することができる。無線充電技術は、無線エネルギー伝送技術に由来し、無線充電原理に応じて、無線充電モードは、主に、電磁誘導式（又は磁気結合式）、無線電波式、電磁共振式などに分けられる。充電対象機器が電磁誘導式の無線充電技術を採用することを例として、充電対象機器と充電機器（例えば無線充電ベース）との間には磁場によってエネルギーを転送し、両者間には充電ケーブルで接続する必要がなく、充電対象機器に充電することを実現することもできる。
【００２９】
有線充電技術であっても、無線充電技術であっても、現在の充電フローでは、通常、定電流（Ｃｏｎｓｔａｎｔ  Ｃｕｒｒｅｎｔ、ＣＣ）充電段階と定電圧（Ｃｏｎｓｔａｎｔ  Ｖｏｌｔａｇｅ、ＣＶ）充電段階が含まれている。しかしながら、定電圧充電は、充電時間が比較的に長い充電段階であり、充電における定電圧充電時間を効果的に短縮できれば、充電対象機器内のバッテリの充電時間を大幅に向上させることができることは、現在の肝心な問題であり、本出願の実施例で解決する必要がある技術問題であることを理解されたい。
【００３０】
関連技術案では、従来の充電フローは、まず、定電流充電電流を採用して制限電圧まで充電し、且つ制限電圧が充電対象機器内のバッテリの定格電圧を超えないようにし、その後、制限電圧で定電圧充電を行うことで、充電プロセス全体の充電電圧がバッテリの定格電圧を超えないようにする。定電圧充電時間が長いため、充電プロセス全体の充電時間が長くなる。
【００３１】
充電時間を短縮するために、階段式充電技術は、急速充電技術案として普及している。既存の階段式充電技術は、依然として定電圧充電段階を保持し、当該充電原理は、充電対象機器の充電中に、まず、第１の充電電流で定電流充電を行い、バッテリを第１の制限電圧まで充電し、その後、第１の充電電流を第２の充電電流まで低減して、第２の充電電流で定電流充電を行い、バッテリを第２の制限電圧まで充電し、充電電流を徐々に低下し、以上のステップを繰り返し、第ｎの充電電流定電流充電を行い、バッテリを第ｎの制限電圧（ただし、第ｎの制限電圧はバッテリの定格電圧を超えない）まで充電する場合、最後に、充電電流がバッテリのカットオフ電流まで低下するまで、第ｎの制限電圧で定電圧充電を行い、ｎは１以上の正の整数である。
【００３２】
図１を参照すると、関連技術案における階段式充電技術の概略構成図を示す。図１に示すように、横座標は時間（Ｔ）を表示し、縦座標は充電電流（Ｉ）を表示する。まず、第１の充電電流Ｉ1で定電流充電を行い、第１の充電時間ｔ１を経過した後、バッテリを第１の制限電圧Ｖ１まで充電し、その後、充電電流を第１の充電電流Ｉ１から第２の充電電流Ｉ２まで低減して、次に第２の充電電流Ｉ２で定電流充電を行い、第２の充電時間t２を経過した後、バッテリを第２の制限電圧Ｖ２まで充電し、充電電流を徐々に低下し、以上のステップを繰り返し、第ｎの充電電流Ｉｎで定電流充電を行い、バッテリを第ｎの制限電圧Ｖｎ（即ち、充電カットオフ電圧Ｖeｎd）まで充電した後、充電電流が充電カットオフ電流Ｉeｎdまで低下するまで、第ｎの制限電圧Ｖｎで定電圧充電を行い、この第ｎの制限電圧Ｖｎは、いずれもバッテリの定格電圧を超えない。
【００３３】
関連技術案では、階段式充電技術が提出されているが、充電中に定電圧充電段階が依然として保持され、定電圧充電段階全体の充電電圧は、バッテリの定格電圧を超えないため、充電対象機器の充電時間の短縮をさらに向上させる余地がある。
【００３４】
上記内容に基づいて、本出願の実施例は、充電対象機器に適用される充電制御方法を提供し、当該方法は、前記充電対象機器の充電中に、まず、前記充電対象機器内のバッテリに対してＫ段階の定電流充電を行い、Ｋは１以上の正の整数であり、Ｋ段階における各定電流充電段階について、当該定電流充電段階に対応する予め設定された電流に従って前記バッテリをそれぞれ定電流充電して、前記バッテリを当該定電流充電段階に対応する予め設定された電圧まで充電し、第Ｋの定電流充電段階に対応する予め設定された電圧は、充電カットオフ電圧であり、前記充電カットオフ電圧は、前記バッテリの定格電圧より大きく、最後の第Ｋの定電流充電段階において、前記バッテリの電圧が前記充電カットオフ電圧に達したことが検出された場合、前記バッテリへの充電を停止し、当該充電プロセスは、多段階式定電流充電を採用し、定電圧充電段階を取り除くことによって、充電時間の節約と充電速度の向上を図る目的を達することができる。
【００３５】
なお、充電対象機器は、端末を指すことができ、当該端末は、有線回線（公衆交換電話網（Ｐｕｂｌｉｃ  Ｓｗｉｔｃｈｅｄ  Ｔｅｌｅｐｈｏｎｅ  Ｎｅｔｗｏｒｋ、ＰＳＴＮ）、デジタルユーザ回線（ＤｉｇｉｔａｌＳｕｂｓｃｒｉｂｅｒ  Ｌｉｎｅ、ＤＳＬ）、デジタルケーブル、直接ケーブル接続、及び／又は別のデータ接続／ネットワーク）、及び／又は無線インターフェース（例えば、セルラーネットワーク、無線ローカルエリアネットワーク（Ｗｉｒｅｌｅｓｓ  Ｌｏｃａｌ  Ａｒｅａ  Ｎｅｔｗｏｒｋ、ＷＬＡＮ）、ハンドヘルドデジタルビデオ放送（Ｄｉｇｉｔａｌ  Ｖｉｄｅｏ  Ｂｒｏａｄｃａｓｔｉｎｇ  Ｈａｎｄｈｅｌｄ、ＤＶＢ−Ｈ）ネットワークなどのデジタルテレビネットワーク、衛星ネットワーク、振幅変調−周波数変調（ＡｍｐｌｉｔｕｄｅＭｏｄｕｌａｔｉｏｎ−Ｆｒｅｑｕｅｎｃｙ  Ｍｏｄｕｌａｔｉｏｎ、ＡＭ−ＦＭ）放送受信機、及び／又は別の通信端末の無線インターフェース）によって接続されて、通信信号を受信／送信する機器を含むことができるが、これらに限定されない。無線インターフェースを介して通信する端末は、「無線通信端末」、「無線端末」、及び／又は「モバイル端末」と呼ぶことができ、ここのモバイル端末は、携帯電話、タブレット、ノートパソコン、パームトップコンピュータ、携帯情報端末（Ｐｅｒｓｏｎａｌ  Ｄｉｇｉｔａｌ  Ａｓｓｉｓｔａｎｔ、ＰＤＡ）、ポータブルメディアプレーヤー（Ｐｏｒｔａｂｌｅ  Ｍｅｄｉａ  Ｐｌａｙｅｒ、ＰＭＰ）、ナビゲーションデバイスなどのモバイル端末機器を含むが、これらに限定されなく、デジタルテレビ、デスクトップコンピュータなどの固定式端末機器をさらに含むことができる。また、本出願の実施例に使用される充電対象機器は、モバイルバッテリをさらに含むことができ、当該モバイルバッテリは、受信された充電エネルギーを記憶して、他の電子機器にエネルギーを提供することができる。本出願の実施例では、具体的には限定しない。
【００３６】
図２を参照すると、本出願の実施例により提供される充電対象機器の構成の概略構成図を示す。図２に示すように、充電対象機器２０は、無線充電受信ユニット２０１と、有線充電接続ユニット２０２と、充電管理ユニット２０３と、制御ユニット２０４と、検出ユニット２０５と、バッテリ２０６とを含む。当業者は、図２に示す充電対象機器２０の構成構造は、充電対象機器に対する構造を限定しなく、充電対象機器は、図示よりも多く又は少ないコンポーネントを含むことができ、又はあるコンポーネントを組み合わせることができ、又は異なるコンポーネントを配置することができることを理解されたい。
【００３７】
なお、いくつかの実施例では、無線充電受信ユニット２０１及び有線充電接続ユニット２０２は、充電対象機器２０に同時に含まれなくてもよい。充電対象機器２０が無線充電モードのみをサポートする場合、充電対象機器２０には、無線充電受信ユニット２０１のみを含むことができ、充電対象機器２０が有線充電モードのみをサポートする場合、充電対象機器２０には、有線充電接続ユニット２０２のみを含むことができ、充電対象機器２０が無線充電モード及び有線充電モードを同時にサポートする場合、充電対象機器２０には、無線充電受信ユニット２０１及び有線充電接続ユニット２０２を同時に含むことができるが、本出願の実施例では具体的に限定しない。
【００３８】
なお、外部の有線充電機器（アダプタなど）は、充電ケーブルを介して充電対象機器２０と有線接続を確立することができ、具体的には、外部の有線充電機器は、充電ケーブルを介して有線充電接続ユニット２０２に接続され、両者は、充電ハンドシェイクプロトコルで互いに通信する。外部の無線充電機器（無線充電ベースなど）は、電磁誘導によって充電対象機器２０と無線接続を確立することができ、具体的には、外部の無線充電機器は、その内部の無線充電送信ユニットと無線充電受信ユニット２０１とを介して電磁誘導によって無線接続を確立して、無線通信を行う。
【００３９】
いくつかの実施例では、無線通信の方式は、ブルートゥース通信、ワイヤレスフィデリティ（Ｗｉｒｅｌｅｓｓ  Ｆｉｄｅｌｉｔｙ、ＷｉＦｉ）通信、高キャリア周波数に基づく近距離無線通信、光通信、超音波通信、超広帯域通信、及びモバイル通信などを含むが、これらに限定されない。本出願の実施例では具体的に限定しない。
【００４０】
いくつかの実施例では、無線充電受信ユニット２０１は、受信コイルとＡＣ／ＤＣ変換ユニットとを含み、受信コイルを介して無線充電機器によって送信された無線充電信号を交流に変換し、ＡＣ／ＤＣ変換ユニットによって当該交流に対して整流及び／又はフィルタリングなどの操作を行い、当該交流を安定した直流に変換して、バッテリ２０６の充電に提供する。
【００４１】
いくつかの実施例では、有線充電接続ユニット２０２は、有線充電機器に接続され、有線充電機器によって出力された直流電圧及び直流電流を受信して、バッテリ２０６の充電に提供するためのユニバーサルシリアルバスＵＳＢインターフェースを含む。
【００４２】
いくつかの実施例では、充電管理ユニット２０３は、無線充電受信ユニット２０１によって出力された直流を昇圧又は降圧処理し、第１の出力電圧及び第１の出力電流を取得し、当該第１の出力電圧及び第１の出力電流がバッテリ２０６の充電要求を満たす場合、バッテリ２０６に直接に印加されて充電することができる。
【００４３】
いくつかの実施例では、充電管理ユニット２０３は、さらに、有線充電接続ユニット２０２によって出力された直流を昇圧又は降圧処理し、第２の出力電圧及び第２の出力電流を取得し、当該第２の出力電圧及び第２の出力電流がバッテリ２０６の充電要求を満たす場合、バッテリ２０６に直接に印加されて充電することができる。
【００４４】
いくつかの実施例では、充電管理ユニット２０３は、電圧変換ユニットを含むことができ、電圧変換ユニットは、昇圧式（Ｂｏｏｓｔ）変換回路、降圧式（Ｂｕｃｋ）変換回路、昇圧降圧式（Ｂｕｃｋ−Ｂｏｏｓｔ）変換回路、ＬＤＯ電圧安定回路であってもよく、チャージポンプ（Ｃｈａｒｇｅ  Ｐｕｍｐ）回路であってもよく、さらに直接充電電路などであってもよいが、本出願の実施例では具体的に限定しない。
【００４５】
いくつかの実施例では、制御ユニット２０４は、無線充電モードであると決定された場合、充電管理ユニット２０３と無線充電受信ユニット２０１との間の経路導通を制御するために用いられ、有線充電モードである決定された場合、充電管理ユニット２０３と有線充電接続ユニット２０２との間の経路導通を制御するためにも用いられる。
【００４６】
いくつかの実施例では、制御ユニット２０４は、充電対象機器２０内の独立したマイクロ制御ユニット（Ｍｉｃｒｏｃｏｎｔｒｏｌｌｅｒ Ｕｎｉｔ、ＭＣＵ）であってもよく、これにより、制御の信頼性を向上させることができる。いくつかの実施例では、制御ユニット２０４は、充電対象機器２０内のアプリケーションプロセッサ（Ａｐｐｌｉｃａｔｉｏｎ Ｐｒｏｃｅｓｓｏｒ、ＡＰ）であってもよく、これにより、ハードウェアコストを節約することができる。本出願の実施例では具体的に限定しない。
【００４７】
検出ユニット２０５は、バッテリ２０６のバッテリ電圧及び／又はバッテリ電流を検出するために用いられる。バッテリ電圧及びバッテリ電流は、充電管理ユニット２０３とバッテリ２０６との間の電圧値及び／又は電流値、すなわち充電管理ユニット２０３の出力電圧及び／又は出力電流を指すことができる。
【００４８】
いくつかの実施例では、検出ユニット２０５は、電圧検出ユニット及び電流検出ユニットを含むことができる。電圧検出ユニットは、バッテリ電圧をサンプリングし、サンプリングした後のバッテリ電圧値を制御ユニット２０４に送信する。いくつかの実施例では、電圧検出ユニットは、直列に電圧分割の方式によってバッテリ電圧をサンプリングすることができる。電流検出ユニットは、バッテリ電流をサンプリングし、サンプリングした後の電流値を制御ユニット２０４に送信する。いくつかの実施例では、電流検出ユニットは、電流検出抵抗及び検流計によってバッテリ電流をサンプリングして検出することができる。
【００４９】
制御ユニット２０４は、さらに、無線充電機器と通信し、検出ユニット２０５によって検出された電圧値及び／又は電流値を無線充電機器にフィードバックする。これにより、無線充電機器は、当該フィードバックされた電圧値及び／又は電流値に基づいて、無線充電機器の送信電力を調整して、バッテリ電圧値及び／又はバッテリ電流値がバッテリ２０６に必要な充電電圧値及び／又は充電電流値とマッチングするようにすることができる。
【００５０】
図２に示す充電対象機器に基づいて、以下、図面を合わせて本出願の各実施例を詳細に説明する。
【００５１】
図３を参照すると、本出願の実施例により提供される充電対象機器に適用される充電制御方法を示し、当該方法は、以下のようなステップを含むことができる。
Ｓ３０１：前記充電対象機器の充電中に、前記充電対象機器内のバッテリに対してＫ段階の定電流充電を行い、Ｋは１以上の正の整数である。
Ｓ３０２：前記Ｋ段階における各定電流充電段階について、当該定電流充電段階に対応する予め設定された電流に従って前記バッテリをそれぞれ定電流充電して、前記バッテリを当該定電流充電段階に対応する予め設定された電圧まで充電し、第Ｋの定電流充電段階に対応する予め設定された電圧は、充電カットオフ電圧であり、前記充電カットオフ電圧は、前記バッテリの定格電圧より大きい。
Ｓ３０３：第Ｋの定電流充電段階において、前記バッテリの電圧が前記充電カットオフ電圧に達したことが検出された場合、前記バッテリへの充電を停止する。
【００５２】
なお、充電対象機器の充電プロセスは、複数の定電流充電段階に分けられることができ、定電流充電段階の数はＫで表示することができる。Ｋは１以上の正の整数である、例えばＫは、５に設定することができるが、実際の応用では、Ｋは、実際の状況（例えばバッテリの体系及び採用する材料など）に応じて具体的に設定するが、本出願の実施例では具体的に限定しない。
【００５３】
なお、第Ｋの予め設定された電圧は、第Ｋの定電流充電段階に対応する予め設定された電圧、すなわち充電対象機器内のバッテリの充電カットオフ電圧を表示する。このように、最後の一つの定電流充電段階において、バッテリの電圧が前記バッテリの充電カットオフ電圧に等しいことが検出された場合、前記バッテリへの充電を直接に停止する。
【００５４】
本出願の実施例では、前記充電対象機器の充電中に、まず、前記充電対象機器内のバッテリに対してＫ段階の定電流充電を行い、Ｋは１以上の正の整数であり、Ｋ段階における各定電流充電段階について、当該定電流充電段階に対応する予め設定された電流に従って前記バッテリをそれぞれ定電流充電して、前記バッテリを当該定電流充電段階に対応する予め設定された電圧まで充電し、第Ｋの定電流充電段階に対応する予め設定された電圧は、充電カットオフ電圧であり、前記充電カットオフ電圧は、前記バッテリの定格電圧より大きく、最後の第Ｋの定電流充電段階において、前記バッテリの電圧が前記充電カットオフ電圧に達したことが検出された場合、前記バッテリへの充電を停止し、当該充電プロセスが多段階式定電流充電であり、多段階式定電流充電の最後の一つの定電流充電段階において、前記バッテリの電圧が第Ｋの定電流充電段階に対応する予め設定された電圧に等しい場合、バッテリへの充電を直接に停止する。つまり、当該充電プロセスは、さらに、定電圧充電段階を取り除くことによって、充電時間を大幅に節約するとともに、充電速度をさらに向上させる。
【００５５】
いくつかの実施例では、前記Ｋ段階における各定電流充電段階について、当該定電流充電段階に対応する予め設定された電流に従って前記バッテリをそれぞれ定電流充電して、前記バッテリを当該定電流充電段階に対応する予め設定された電圧まで充電するステップは、
前のＫ−１段階における第ｉの定電流充電段階では、第ｉの予め設定された電流で前記バッテリを定電流充電して、前記バッテリを第ｉの予め設定された電圧まで充電するステップであって、ｉは、１以上であり、且つＫ−１以下の正の整数であり、第ｉ＋１の予め設定された電流は、前記第ｉの予め設定された電流より小さいステップと、
第Ｋの定電流充電段階では、第Ｋの予め設定された電流で前記バッテリを定電流充電して、前記バッテリを第Ｋの予め設定された電圧まで充電するステップであって、前記第Ｋの予め設定された電流は、第Ｋ−１の予め設定された電流より小さく、前記第Ｋの予め設定された電圧は、前記充電カットオフ電圧であるステップと、を含む。
【００５６】
さらに、いくつかの実施例では、前記Ｋ段階における各定電流充電段階について、前記方法は、
各定電流充電段階内の前記バッテリの電圧を検出するステップをさらに含む。
【００５７】
なお、充電対象機器には、検出ユニット（例えば図２に示す検出ユニット２０５）が含まれている。当該検出ユニットは、一般に検出回路に直列に接続され、被検出回路に流れる電流及び／又は電圧を測定する。本出願の実施例では、検出ユニットは、抵抗式（例えば電流検出抵抗）であってもよいし、磁気デバイス（例えばカレントトランス、計器用トランス、ロゴスキーコイル、ホールセンサ）であってもよいし、トランジスタ（例えば、ドレインからソースへのオン抵抗（ＲＤＳ（ＯＮ））、比率式）であってもよいが、本出願の実施例では具体的に限定しない。
【００５８】
なお、各定電流充電段階（例えば第ｉの定電流充電段階）に対して、第ｉの予め設定された電流及び第ｉの予め設定された電圧は、第ｉの定電流充電段階において充電対象機器によって予め設置された電流値及び電圧値をそれぞれ表示する。大電流が定電流充電を行う場合、充電停止後に充電電圧が落ち込むため、ｉが増加すると伴い、充電電流は短縮され、すなわち第ｉ＋１の予め設定された電流は、前記第ｉの予め設定された電流より小さい。例えば、仮にＫの値が５であると、第１の定電流充電段階について、第１の予め設定された電流はＸ（アンペア）であり、第１の予め設定された電圧はＹ１（ボルト）であり、第２の定電流充電段階について、第２の当該予め設定された電流はＸ−△Ａ１であり、第２の予め設定された電圧はＹ２（ボルト）であり、第３の当該定電流充電段階について、第３の予め設定された電流はＸ−△Ａ１−△Ａ２であり、第３の予め設定された電圧はＹ３（ボルト）であり、第４の当該定電流充電段階について、第４の予め設定された電流はＸ−△Ａ１−△Ａ２−△Ａ３であり、第４の予め設定された電圧はＹ４（ボルト）であり、第５の当該定電流充電段階について、第５の予め設定された電流はＸ−△Ａ１−△Ａ２−△Ａ３−△Ａ４であり、第５の予め設定された電圧はＹ５（ボルト）であるが、実際の応用では、第ｉの予め設定された電流及び第ｉの予め設定された電圧は、実際の状況（例えばバッテリの体系及び採用する材料など）に応じて具体的に設定し、本出願の実施例では具体的に限定しない。
【００５９】
本出願の実施例では、第１の予め設定された電流Ｘは、３より大きい値であってもよく、例えば、４Ａであってもよい。第２の予め設定された電流から第５の予め設定された電流は、徐々に低下する電流であり、すなわち後の段階の電流は、前の段階の電流より小さい。例えば、△Ａ１、△Ａ２、△Ａ３、及び△Ａ４は、０.５〜１の値であってもよい。いくつかの実施例では、第１の予め設定された電圧Ｙ１、第２の予め設定された電圧Ｙ２、第３の予め設定された電圧Ｙ３、第４の予め設定された電圧Ｙ４、及び第５の予め設定された電圧Ｙ２は、バッテリの定格電圧、又はバッテリの定格電圧より大きいものとすることができる。例えば、仮定バッテリの定格電圧はＶ０である場合、Ｙ１からＹ５は、Ｖ０＋ΔＶに等しくてもよく、ΔＶは、０.０５〜０.５の値であってもよい。
【００６０】
いくつかの実施例では、Ｋ個の定電流充電段階について、各定電流充電段階に対応する予め設定された電圧は同じであってもよいし、異なるものであってもよく、各定電流充電段階に対応する予め設定された電圧は、バッテリの定格電圧より大きくてもよい。このように、バッテリに過電圧充電を行うことができることによって、充電時間を最大限に圧縮し、充電期間を節約することができる。
【００６１】
図４を参照すると、本出願の実施例により提供される充電制御技術の概略構成図を示す。図４に示すように、横座標は時間（Ｔ）を表示し、縦座標は充電電流（Ｉ）を表示する。仮に充電対象機器がＫ個の定電流充電段階を有すると、まず、第１の定電流充電段階であり、第１の予め設定された電流Ｉ1で定電流充電を行い、第１の充電時間ｔ１を経過した後、バッテリを第１の予め設定された電圧Ｖ１まで充電し、その後、充電電流を第１の予め設定された電流Ｉ１から第２の予め設定された電流Ｉ２まで低減し、第２の定電流充電段階に進み、その後、第２の予め設定された電流Ｉ２で定電流充電を行い、第２の充電時間t２を経過した後、バッテリを第２の予め設定された電圧Ｖ２まで充電し、充電電流を徐々に低下し、以上のステップを繰り返し、充電電流が第ｉの予め設定された電流Ｉｉまで低減した場合、第ｉの定電流充電段階に進み、第ｉの予め設定された電流Ｉｉで定電流充電を行い、第ｉ充電時間tｉを経過した後、バッテリを第ｉの予め設定された電圧Ｖｉまで充電し、最後の一つの定電流充電段階、すなわち第Ｋの定電流充電段階に入った場合、この時に第Ｋの予め設定された電流ＩＫで定電流充電を行い、バッテリを第Ｋの予め設定された電圧ＶＫ（即充電截至電圧Ｖeｎd）まで充電した後、バッテリへの充電を停止することができる。
【００６２】
いくつかの実施例では、前記第ｉの予め設定された電圧は、前記バッテリの定格電圧より大きい。
【００６３】
なお、充電対象機器の充電中に、第ｉの予め設定された電圧は、バッテリの第ｉの定電流充電段階の予め設定された電圧を表示し、各定電流充電段階に対応する予め設定された電圧は同じであってもよいし、異なるものであってもよいが、本出願の実施例では具体的に限定しない。本出願の実施例では、第ｉの予め設定された電圧は、バッテリの定格電圧より大きくてもよく、バッテリに過電圧充電を行うことによって、充電時間を最大限に圧縮し、定電圧充電の期間を短縮することができ、これにより、関連技術に比較して、充電時間を大幅に節約することもでき、充電効率を向上させることができる。
【００６４】
いくつかの実施例では、第ｉの予め設定された電圧は、前記バッテリの定格電圧に予め設定された電圧差を加えた値に設置することができる。ここで、予め設定された電圧差ΔＶは０.０５Ｖであってもよいし、０.５Ｖであってもよく、一般に、ΔＶは、０.０５Ｖ〜０.５Ｖで値を取ることができ、実際の応用では、実際の状況に応じて具体的に設定し、本出願の実施例では具体的に限定しない。
【００６５】
いくつかの実施例では、第ｉの定電流充電段階について、前記各定電流充電段階内の前記バッテリの電圧を検出するステップの後に、前記方法は、
前記バッテリの電圧が第ｉの予め設定された電圧に等しいことが検出された場合、前記充電対象機器を制御して第ｉ＋１の定電流充電段階に入り、第ｉ＋１の予め設定された電流で前記バッテリを定電流充電するステップをさらに含む。
【００６６】
なお、第ｉの定電流充電段階について、第ｉの予め設定された電流で前記充電対象機器内のバッテリに対して定電流充電を行い、前記バッテリを第ｉの予め設定された電圧まで充電し、バッテリの電圧が第ｉの予め設定された電圧に等しいことが検出された場合、第ｉの定電流充電段階が完了したことを表示し、この時に第ｉ＋１の定電流充電段階に進み、その後、第ｉ＋１の予め設定された電流で前記バッテリを定電流充電する。このように、第ｉ＋１の定電流充電段階について、第ｉ＋１の予め設定された電流で前記充電対象機器内のバッテリに対して定電流充電を行って、前記バッテリを第ｉ＋１の予め設定された電圧まで充電し、以上のステップを繰り返し、バッテリの電圧が第Ｋ−１の予め設定された電圧に等しいことが検出された場合、第Ｋ−１の定電流充電段階が完了したことを表示し、この時に第Ｋの定電流充電段階に進み、その後、第Ｋの予め設定された電流で前記バッテリを定電流充電し、第Ｋの定電流充電段階において、第Ｋの予め設定された電流で前記充電対象機器内のバッテリに対して定電流充電を行い、前記バッテリを第Ｋの予め設定された電圧まで充電（すなわち前記バッテリの充電カットオフ電圧）し、この時にバッテリの電圧が第Ｋの予め設定された電圧に等しいことが検出された場合、前記バッテリへの充電を停止する。
【００６７】
いくつかの実施例では、第ｉの定電流充電段階について、前記各定電流充電段階内の前記バッテリの電圧を検出するステップの後に、前記方法は、
前記バッテリの電圧が第ｉの予め設定された電圧に等しいことが検出された場合、前記第ｉの予め設定された電圧に基づいて前記バッテリを定電圧充電するステップと、
前記バッテリの電流が第ｉ＋１の予め設定された電流に等しいことが検出された場合、前記充電対象機器を制御して第ｉ＋１の定電流充電段階に入り、前記第ｉ＋１の予め設定された電流で前記バッテリを定電流充電するステップと、をさらに含む。
【００６８】
さらに、いくつかの実施例では、前記バッテリの電流が第ｉ＋１の予め設定された電流に等しいことが検出された前に、前記方法は、
各定電流充電段階内の前記バッテリの電流を検出するステップをさらに含む。
【００６９】
なお、分けられた複数の定電流充電段階について、各定電流充電段階と次の定電流充電段階との間には、定電圧充電によって連結され、このように、充電電流の急激な低下を回避することができる。電流の急変はある程度でバッテリの材料に衝撃を与えるため、バッテリの損傷を容易にし、バッテリの耐用性を低下させることによって、バッテリの使用の寿命を短縮するため、第ｉの定電流充電段階と第ｉ＋１の定電流充電段階との間には定電圧充電によって連結することができ、充電電流の急変を回避するだけでなく、充電時間のさらなる節約と充電速度の向上を図る目的を達することができる。
【００７０】
図５を参照すると、本出願の実施例により提供される別の充電制御技術の概略構成図を示す。図５に示すように、横座標は時間（Ｔ）を表示し、縦座標は充電電流（Ｉ）を表示する。仮に充電対象機器がＫ個の定電流充電段階を有すると、まず、第１の定電流充電段階であり、第１の予め設定された電流Ｉ1で定電流充電を行い、バッテリを第１の予め設定された電圧Ｖ１まで充電し、次に第１の予め設定された電圧Ｖ１でバッテリを定電圧充電し、第１の充電時間ｔ１を経過した後、バッテリの電流が第２の予め設定された電流Ｉ２に等しいことが検出された場合、前記充電対象機器は第２の定電流充電段階に進み、その後、第２の予め設定された電流Ｉ２で定電流充電を行い、バッテリを第２の予め設定された電圧Ｖ２まで充電し、次に第２の予め設定された電圧Ｖ２でバッテリを定電圧充電し、第２の充電時間t２を経過した後、バッテリの電流が第３の予め設定された電流Ｉ３に等しいことが検出された場合、前記充電対象機器は第３の定電流充電段階に進み、以上のステップを繰り返し、前記充電対象機器が第ｉの定電流充電段階に進む場合、第ｉの予め設定された電流Ｉｉで定電流充電を行い、バッテリを第ｉの予め設定された電圧Ｖｉまで充電し、次に第ｉの予め設定された電圧Ｖｉでバッテリを定電圧充電し、第ｉ充電時間tｉを経過した後、バッテリの電流が第ｉ＋１の予め設定された電流Ｉｉ＋１に等しいことが検出された場合、前記充電対象機器は第ｉ＋１の定電流充電段階に進み、最後の一つの定電流充電段階に進み、すなわち充電対象機器が第Ｋの定電流充電段階に進む場合、第Ｋの予め設定された電流ＩＫで定電流充電を行い、バッテリの電圧が第Ｋの予め設定された電圧ＶＫに等しい（すなわちバッテリの充電截至電圧Ｖeｎd）ことが検出された後、バッテリに充電することを停止することができ、当該充電プロセスは、定電圧充電段階を取り除くことによって、充電時間の節約と充電速度の向上を図る目的を達することができる。
【００７１】
いくつかの実施例では、前記充電対象機器の充電モードは、無線充電モードと有線充電モードとを含み、前記方法は、
前記充電モードを選択することによって、前記充電対象機器を制御して無線充電モード又は有線充電モードで前記バッテリに充電するステップをさらに含む。
【００７２】
なお、本出願の実施例の充電制御方法は、充電対象機器に適用される無線充電モードであってもよいし、充電対象機器に適用される有線充電モードであってもよい。充電モードを選択することによって、充電対象機器が無線充電モード又は有線充電モードで前記バッテリに充電することができ、当該充電中で多段階式定電流充電を採用するとともに、定電圧充電段階を取り除くことによって、充電時間の節約と充電速度の向上を図る目的を達することができる。
【００７３】
いくつかの実施例では、前記バッテリは、単一セル構造のバッテリとＮ個のセル構造のバッテリとを含み、Ｎは、１より大きい正の整数である。
【００７４】
なお、バッテリが複数のセルである場合、上記の充電制御方法では、各セルの電圧のいずれかが現在の定電流充電段階に対応する予め設定された電圧に達したか否かをモニタリングする必要がある。いずれかのセルの電圧が現在の定電流充電段階に対応する予め設定された電圧に達した場合、隣接する次の定電流充電段階に進む必要があり、又は、いくつかの実施例では、既に現在の定電流充電段階に対応する予め設定された電圧に達したセルに対応する充電経路を切断し、現在の定電流充電段階に対応する予め設定された電圧に達していないセルを継続的に充電することもできる。すなわち、複数のセルについて、各セルは、上記の充電制御方法に従って独立して充電操作を行うことができる。
【００７５】
上記の実施例は、充電対象機器に適用される充電制御方法を提供し、前記充電対象機器の充電中に、充電対象機器内のバッテリに対してＫ段階の定電流充電を行い、Ｋは１以上の正の整数であり、前記Ｋ段階における各定電流充電段階について、当該定電流充電段階に対応する予め設定された電流に従って前記バッテリをそれぞれ定電流充電して、前記バッテリを当該定電流充電段階に対応する予め設定された電圧まで充電し、第Ｋの定電流充電段階に対応する予め設定された電圧は、充電カットオフ電圧であり、前記充電カットオフ電圧は、前記バッテリの定格電圧より大きく、第Ｋの定電流充電段階において、前記バッテリの電圧が前記充電カットオフ電圧に達したことが検出された場合、前記バッテリへの充電を停止するステップと；当該充電中で多段階式定電流充電を採用し、さらに、定電圧充電段階を取り除くことによって、充電時間を大幅に節約するとともに、充電速度を向上させる。
【００７６】
前述した図３に示す技術案と同じの発明の技術思想に基づいて、図６を参照すると、本出願の実施例により提供される充電制御装置６０の構成を示す。充電ユニット６０１と、検出ユニット６０２と、制御ユニット６０３とを含むことができ、
前記充電ユニット６０１は、前記充電対象機器の充電中に、前記充電対象機器内のバッテリに対してＫ段階の定電流充電を行うように構成され、Ｋは１以上の正の整数である。
前記充電ユニット６０１は、さらに、前記Ｋ段階における各定電流充電段階について、当該定電流充電段階に対応する予め設定された電流に従って前記バッテリをそれぞれ定電流充電して、前記バッテリを当該定電流充電段階に対応する予め設定された電圧まで充電するように構成され、第Ｋの定電流充電段階に対応する予め設定された電圧は、充電カットオフ電圧であり、前記充電カットオフ電圧は、前記バッテリの定格電圧より大きい。
前記制御ユニット６０３は、第Ｋの定電流充電段階で、前記検出ユニット６０２によって前記バッテリの電圧が前記充電カットオフ電圧に達したことが検出された場合、前記バッテリへの充電を停止するように構成される。
【００７７】
上記の技術案において、前記充電ユニット６０１は、具体的には、前のＫ−１段階における第ｉの定電流充電段階では、第ｉの予め設定された電流で前記バッテリを定電流充電して、前記バッテリを第ｉの予め設定された電圧まで充電し、ｉは、１以上であり、且つＫ−１以下の正の整数であり、第ｉ＋１の予め設定された電流は、前記第ｉの予め設定された電流より小さく、第Ｋの定電流充電段階では、第Ｋの予め設定された電流で前記バッテリを定電流充電して、前記バッテリを第Ｋの予め設定された電圧まで充電するように構成され、前記第Ｋの予め設定された電流は、第Ｋ−１の予め設定された電流より小さく、前記第Ｋの予め設定された電圧は、前記充電カットオフ電圧である。
【００７８】
上記の技術案において、前記第ｉの予め設定された電圧は、前記バッテリの定格電圧より大きい。
【００７９】
上記の技術案において、前記検出ユニット６０２は、具体的には、各定電流充電段階内の前記バッテリの電圧を検出するように構成される。
【００８０】
上記の技術案において、第ｉの定電流充電段階について、前記制御ユニット６０３は、さらに、前記バッテリの電圧が第ｉの予め設定された電圧に等しいことが検出された場合、前記充電対象機器を制御して第ｉ＋１の定電流充電段階に入り、第ｉ＋１の予め設定された電流で前記バッテリを定電流充電するように構成される。
【００８１】
上記の技術案において、第ｉの定電流充電段階について、前記充電ユニット６０１は、さらに、前記バッテリの電圧が第ｉの予め設定された電圧に等しいことが検出された場合、前記第ｉの予め設定された電圧に基づいて前記バッテリを定電圧充電するように構成され、
前記制御ユニット６０３は、さらに、前記バッテリの電流が第ｉ＋１の予め設定された電流に等しいことが検出された場合、前記充電対象機器を制御して第ｉ＋１の定電流充電段階に入り、前記第ｉ＋１の予め設定された電流で前記バッテリを定電流充電するように構成される。
【００８２】
上記の技術案において、前記検出ユニット６０２は、さらに、各定電流充電段階内の前記バッテリの電流を検出するように構成される。
【００８３】
上記の技術案において、前記充電対象機器の充電モードは、無線充電モードと有線充電モードとを含み、前記制御ユニット６０３は、さらに、前記充電モードを選択することによって、前記充電対象機器を制御して無線充電モード又は有線充電モードで前記バッテリに充電するように構成される。
【００８４】
上記の技術案において、前記バッテリは、単一セル構造のバッテリとＮ個のセル構造のバッテリとを含み、Ｎは、１より大きい正の整数である。
【００８５】
本実施例では、「ユニット」は、回路の一部、プロセッサの一部、プログラム又はソフトウェアなどの一部であってもよいし、モジュールであってもよいし、非モジュール化されてもよいことを理解されたい。本実施例における各構成要素は、一つの処理ユニットに統合されてもよいし、各ユニットが物理的に別々に存在してもよいし、二つ以上のユニットが一つのユニットに統合されてもよい。上記の統合されたユニットは、ハードウェアの形式で実現されてもよいし、ソフトウェア機能モジュールの形式で実現されてもよい。
【００８６】
前記統合されたユニットは、独立した製品として販売又は使用されることではなく、ソフトウェア機能モジュールの形式で実現される場合、一つのコンピュータ読み取り可能な記憶媒体に記憶されることができ、このような理解に基づいて、本実施例の技術案は本質上、言い換えれば従来技術に貢献した部分は或いは当該技術案の全部又は一部は、ソフトウェア製品の形式で具現でき、当該コンピュータソフトウェア製品は、一つの記憶媒体に記憶され、一台のコンピュータ機器（パーソナルコンピュータ、サーバ、又はネットワーク機器など）又はＰｒｏｃｅｓｓｏｒ（プロセッサ）に本実施例の前記方法の全部又は一部のステップを実行するための複数の命令を含む。前述の記憶媒体は、Ｕディスク、モバイルハードディスク、読み出し専用記憶装置（Ｒｅａｄ−Ｏｎｌｙ  Ｍｅｍｏｒｙ、ＲＯＭ）、ランダムアクセスメモリ（Ｒａｎｄｏｍ Ａｃｃｅｓｓ Ｍｅｍｏｒｙ、ＲＡＭ）、磁気ディスク又はコンパクトディスクなどの各種のプログラムコードが記憶できる媒体を含む。
【００８７】
したがって、本実施例は、充電制御プログラムが記憶されているコンピュータ記憶媒体を提供し、前記充電制御プログラムが、少なくとも一つのプロセッサによって実行される場合に、前述の図３に示す技術案の前記方法のステップを実現する。
【００８８】
上記の充電制御装置６０の構成及びコンピュータ記憶媒体に基づいて、図７を参照すると、本出願の実施例により提供される充電制御装置６０の具体的なハードウェアの構成例を示し、ネットワークインターフェース７０１と、メモリ７０２と、プロセッサ７０３を含むことができ、各コンポーネントは、バスシステム７０４によって結合されてもよい。バスシステム７０４は、これらのコンポーネント間の接続通信を実現するために用いられることを理解されたい。バスシステム７０４は、データバスを含む以外に、電源バス、制御バス、及び状態信号バスをさらに含む。しかしながら、説明を明確にするために、図７の様々なバスを、すべてバスシステム７０４として表記する。ネットワークインターフェース７０１は、他の外部のネットワーク要素と情報を送受信するプロセス中に、信号の受信及び送信を行うように構成され、
メモリ７０２は、プロセッサ７０３で実行可能なコンピュータプログラムを記憶するように構成され、
プロセッサ７０３は、前記コンピュータプログラムを実行する場合に、
前記充電対象機器の充電中に、前記充電対象機器内のバッテリに対してＫ段階の定電流充電を行うステップであって、Ｋは１以上の正の整数であるステップと、
前記Ｋ段階における各定電流充電段階について、当該定電流充電段階に対応する予め設定された電流に従って前記バッテリをそれぞれ定電流充電して、前記バッテリを当該定電流充電段階に対応する予め設定された電圧まで充電するステップであって、第Ｋの定電流充電段階に対応する予め設定された電圧は、充電カットオフ電圧であり、前記充電カットオフ電圧は、前記バッテリの定格電圧より大きいステップと、
第Ｋの定電流充電段階において、前記バッテリの電圧が前記充電カットオフ電圧に達したことが検出された場合、前記バッテリへの充電を停止するステップと、を実行する。
【００８９】
本出願の実施例におけるメモリ７０２は、揮発性メモリ又は不揮発性メモリであっても良く、又は揮発性メモリ及び不揮発性メモリの両者を含むことができることが理解できる。その中、不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ ＲＯＭ、ＰＲＯＭ）、消去可能プログラマブル読み取り専用メモリ（Ｅｒａｓａｂｌｅ ＰＲＯＭ、ＥＰＲＯＭ）、電気的消去可能プログラマブル読み取り専用メモリ（Ｅｌｅｃｔｒｉｃａｌｌｙ ＥＰＲＯＭ、ＥＥＰＲＯＭ）又はフラッシュメモリであってもよい。揮発性メモリは、外部キャッシュメモリとして機能するランダムアクセスメモリ（Ｒａｎｄｏｍ Ａｃｃｅｓｓ Ｍｅｍｏｒｙ、ＲＡＭ）であってもよい。制限的でなく例示的な説明により、多くの形態のＲＡＭは利用可能であり、例えばスタティックランダムアクセスメモリ（Ｓｔａｔｉｃ ＲＡＭ、ＳＲＡＭ）、動的ランダムアクセスメモリ（Ｄｙｎａｍｉｃ ＲＡＭ、ＤＲＡＭ）、同期型ランダムアクセスメモリ（Ｓｙｎｃｈｒｏｎｏｕｓ ＤＲＡＭ、ＳＤＲＡＭ）、ダブルデータレート同期動的ランダムアクセスメモリ（Ｄｏｕｂｌｅ Ｄａｔａ Ｒａｔｅ ＳＤＲＡＭ、ＤＤＲＳＤＲＡＭ）、強化型同期動的ランダムアクセスメモリ（Ｅｎｈａｎｃｅｄ ＳＤＲＡＭ、ＥＳＤＲＡＭ）、同期リンク動的ランダムアクセスメモリ（Ｓｙｎｃｈｌｉｎｋ ＤＲＡＭ、ＳＬＤＲＡＭ）とダイレクトラムバスランダムアクセスメモリ（Ｄｉｒｅｃｔ  Ｒａｍｂｕｓ ＲＡＭ、ＤＲＲＡＭ）であってもよい。本明細書に説明されるシステムと方法のメモリ７０２は、これら、及びいずれかの他の適切なタイプのメモリを含むことを主旨しているが、これらに限定されない。
【００９０】
プロセッサ７０３は、集積回路チップである可能性があり、信号処理能力を備えている。実現過程において、上記方法の各ステップは、プロセッサ７０３におけるハードウェアの集積論理回路、又はソフトウェア形式の命令により完了されてもよい。上記のプロセッサ７０３は汎用プロセッサ、デジタル信号プロセッサ（Ｄｉｇｉｔａｌ Ｓｉｇｎａｌ Ｐｒｏｃｅｓｓｏｒ、ＤＳＰ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ）、現場でプログラマブルゲートアレイ（Ｆｉｅｌｄ Ｐｒｏｇｒａｍｍａｂｌｅ Ｇａｔｅ Ａｒｒａｙ、ＦＰＧＡ）、又は他のプログラマブルロジックデバイス、ディスクリートゲート又はトランジスタロジックデバイス、ディスクリートハードウェアコンポーネントであってもよい。本出願の実施例に開示された各方法、ステップ及び論理ブロック図を実現、又は実行することができる。汎用プロセッサはマイクロプロセッサであっても良く、又は該プロセッサはいずれかの通常のプロセッサなどであっても良い。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。当該記憶媒質はメモリ７０２に位置し、プロセッサ７０３はメモリ７０２における情報を読み取り、そのハードウェアと組み合わせて上記方法のステップを完成する。
【００９１】
本明細書で説明されるこれらの実施例は、ハードウェア、ソフトウェア、ファームウェア、ミドルウェア、マイクロコード、又はそれらの組み合わせによって実現されることができることを理解されたい。ハードウェアの実現に対して、処理ユニットは、一つ又は複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタル信号プロセッサ（Ｄｉｇｉｔａｌ  Ｓｉｇｎａｌ  Ｐｒｏｃｅｓｓｉｎｇ、ＤＳＰ）、デジタル信号処理デバイス（ＤＳＰ  Ｄｅｖｉｃｅ、ＤＳＰＤ）、プログラマブルロジックデバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサ、本出願の前記機能を実行するための他の電子ユニット又はその組み合わせを実現することができる。
【００９２】
ソフトウェア実現に関して、本明細書の前記機能を実行するモジュール（例えばプロセス、関数など）によって本明細書の前記技術を実現することができる。ソフトウェアコードは、メモリに記憶され、プロセッサによって実行されることができる。メモリは、プロセッサ内又はプロセッサ外部で実現することができる。
【００９３】
選択可能に、別の実施例として、プロセッサ７０３は、さらに、前記コンピュータプログラムを実行する場合に、前述の図３に示す技術案の前記方法のステップを実行するように構成される。
【００９４】
図８を参照すると、本出願の実施例により提供される充電対象機器８０の概略構成図を示す。図８に示すように、充電対象機器８０は、少なくとも前述の実施例のいずれかに記載の充電制御装置６０を含む。
【００９５】
なお、本出願の実施例に記載される技術案の間には、矛盾することがない場合、任意に組み合わせることができる。
【００９６】
以上は、単に本発明の具体的な実施形態であるが、本発明の保護範囲はこれに限定されず、当業者にとって、本発明に開示された技術範囲において容易に想到しうる変化又は置換は、本発明の保護範囲に含まれるべきである。このため、本発明の保護範囲は請求項の範囲の保護範囲を基準とすべきである。
【００９７】
工業上の利用可能性
本出願の実施例では、当該方法は、充電対象機器に適用され、前記充電対象機器の充電中に、前記充電対象機器内のバッテリに対してＫ段階の定電流充電を行い、Ｋは１以上の正の整数であり、Ｋ段階における各定電流充電段階について、当該定電流充電段階に対応する予め設定された電流に従って前記バッテリをそれぞれ定電流充電して、前記バッテリを当該定電流充電段階に対応する予め設定された電圧まで充電し、第Ｋの定電流充電段階に対応する予め設定された電圧は、充電カットオフ電圧であり、前記充電カットオフ電圧は、前記バッテリの定格電圧より大きく、第Ｋの定電流充電段階において、前記バッテリの電圧が前記充電カットオフ電圧に達したことが検出された場合、前記バッテリへの充電を停止し、当該充電プロセスは、多段階式定電流充電を採用し、第Ｋの定電流充電段階後に前記バッテリへの充電を停止し、すなわち定電圧充電段階を取り除くことによって、充電時間を節約し、充電速度を向上させる。
【図１】
2021511001.tif 000003
【図２】
2021511001.tif 000004
【図３】
2021511001.tif 000005
【図４】
2021511001.tif 000006
【図５】
2021511001.tif 000007
【図６】
2021511001.tif 000008
【図７】
2021511001.tif 000009
【図８】
2021511001.tif 000010
【手続補正書】
【提出日】令和2年3月6日(2020.3.6)
【手続補正２】
【補正対象書類名】特許請求の範囲
【補正対象項目名】全文
【補正方法】変更
【補正の内容】
【特許請求の範囲】
【請求項１】
充電対象機器に適用される充電制御方法であって、
前記方法は、
前記充電対象機器の充電中に、前記充電対象機器内のバッテリに対してＫ段階の定電流充電を行うステップであって、Ｋは１以上の正の整数であるステップと、
前記Ｋ段階における各定電流充電段階について、それぞれ当該定電流充電段階に対応する予め設定された電流に従って前記バッテリを定電流充電して、前記バッテリを当該定電流充電段階に対応する予め設定された電圧まで充電するステップであって、第Ｋの定電流充電段階に対応する予め設定された電圧は、充電カットオフ電圧であり、前記充電カットオフ電圧は、前記バッテリの定格電圧より大きいステップと、
第Ｋの定電流充電段階において、前記バッテリの電圧が前記充電カットオフ電圧に達したことが検出された場合、前記バッテリへの充電を停止するステップと、を含む、
ことを特徴とする充電制御方法。
【請求項２】
前記Ｋ段階における各定電流充電段階について、それぞれ当該定電流充電段階に対応する予め設定された電流に従って前記バッテリを定電流充電して、前記バッテリを当該定電流充電段階に対応する予め設定された電圧まで充電するステップは、
前のＫ−１段階における第ｉの定電流充電段階では、第ｉの予め設定された電流で前記バッテリを定電流充電して、前記バッテリを第ｉの予め設定された電圧まで充電するステップであって、ｉは、１以上であり、且つＫ−１以下の正の整数であり、第ｉ＋１の予め設定された電流は、前記第ｉの予め設定された電流より小さいステップと、
第Ｋの定電流充電段階では、第Ｋの予め設定された電流で前記バッテリを定電流充電して、前記バッテリを第Ｋの予め設定された電圧まで充電するステップであって、前記第Ｋの予め設定された電流は、第Ｋ−１の予め設定された電流より小さく、前記第Ｋの予め設定された電圧は、前記充電カットオフ電圧であるステップと、を含む、
ことを特徴とする請求項１に記載の充電制御方法。
【請求項３】
前記第ｉの予め設定された電圧は、前記バッテリの定格電圧より大きく、
前記方法は、
各定電流充電段階内の前記バッテリの電圧を検出するステップをさらに含む、
ことを特徴とする請求項２に記載の充電制御方法。
【請求項４】
前記各定電流充電段階内の前記バッテリの電圧を検出するステップの後に、前記方法は、
前記バッテリの電圧が第ｉの予め設定された電圧に等しいことが検出された場合、前記充電対象機器を制御して第ｉ＋１の定電流充電段階に入り、第ｉ＋１の予め設定された電流で前記バッテリを定電流充電するステップをさらに含む、
ことを特徴とする請求項３に記載の充電制御方法。
【請求項５】
前記各定電流充電段階内の前記バッテリの電圧を検出するステップの後に、前記方法は、
前記バッテリの電圧が第ｉの予め設定された電圧に等しいことが検出された場合、前記第ｉの予め設定された電圧に基づいて前記バッテリを定電圧充電するステップと、
前記バッテリの電流が第ｉ＋１の予め設定された電流に等しいことが検出された場合、前記充電対象機器を制御して第ｉ＋１の定電流充電段階に入り、前記第ｉ＋１の予め設定された電流で前記バッテリを定電流充電するステップと、をさらに含む、
ことを特徴とする請求項３に記載の充電制御方法。
【請求項６】
前記方法は、
各定電流充電段階内の前記バッテリに入った電流を検出するステップをさらに含む、
ことを特徴とする請求項５に記載の充電制御方法。
【請求項７】
前記充電対象機器の充電モードは、無線充電モードと有線充電モードとを含み、前記方法は、
前記充電モードを選択することによって、無線充電モード又は有線充電モードで前記バッテリを充電するステップをさらに含む、
ことを特徴とする請求項１〜６のいずれかに記載の充電制御方法。
【請求項８】
充電対象機器に適用される充電制御装置であって、
前記充電制御装置は、充電ユニットと、制御ユニットと、を含み、
前記充電ユニットは、前記充電対象機器の充電中に、前記充電対象機器内のバッテリに対してＫ段階の定電流充電を行うように構成され、Ｋは１以上の正の整数であり、
前記充電ユニットは、さらに、前記Ｋ段階における各定電流充電段階について、それぞれ当該定電流充電段階に対応する予め設定された電流に従って前記バッテリを定電流充電して、前記バッテリを当該定電流充電段階に対応する予め設定された電圧まで充電するように構成され、第Ｋの定電流充電段階に対応する予め設定された電圧は、充電カットオフ電圧であり、前記充電カットオフ電圧は、前記バッテリの定格電圧より大きく、
前記制御ユニットは、第Ｋの定電流充電段階において、前記バッテリの電圧が前記充電カットオフ電圧に達したことが検出された場合、前記バッテリへの充電を停止するように構成される、
ことを特徴とする充電制御装置。
【請求項９】
前記充電ユニットは、具体的には、前のＫ−１段階における第ｉの定電流充電段階では、第ｉの予め設定された電流で前記バッテリを定電流充電して、前記バッテリを第ｉの予め設定された電圧まで充電し、ｉは、１以上であり、且つＫ−１以下の正の整数であり、第ｉ＋１の予め設定された電流は、前記第ｉの予め設定された電流より小さく、第Ｋの定電流充電段階では、第Ｋの予め設定された電流で前記バッテリを定電流充電して、前記バッテリを第Ｋの予め設定された電圧まで充電し、前記第Ｋの予め設定された電流は、第Ｋ−１の予め設定された電流より小さく、前記第Ｋの予め設定された電圧は、前記充電カットオフ電圧である、
ことを特徴とする請求項８に記載の充電制御装置。
【請求項１０】
前記第ｉの予め設定された電圧は、前記バッテリの定格電圧より大きく、
前記充電制御装置は、検出ユニットをさらに含み、
前記検出ユニットは、具体的には、各定電流充電段階内の前記バッテリの電圧を検出するように構成される、
ことを特徴とする請求項９に記載の充電制御装置。
【請求項１１】
第ｉの定電流充電段階について、前記制御ユニットは、さらに、検出ユニットによって前記バッテリの電圧が第ｉの予め設定された電圧に等しいことが検出された場合、前記充電対象機器を制御して第ｉ＋１の定電流充電段階に入り、第ｉ＋１の予め設定された電流で前記バッテリを定電流充電するように構成される、
ことを特徴とする請求項１０に記載の充電制御装置。
【請求項１２】
第ｉの定電流充電段階について、前記充電ユニットは、さらに、検出ユニットによって前記バッテリの電圧が第ｉの予め設定された電圧に等しいことが検出された場合、前記第ｉの予め設定された電圧に基づいて前記バッテリを定電圧充電するように構成され、
前記制御ユニットは、さらに、検出ユニットによって前記バッテリの電流が第ｉ＋１の予め設定された電流に等しいことが検出された場合、前記充電対象機器を制御して第ｉ＋１の定電流充電段階に入り、前記第ｉ＋１の予め設定された電流で前記バッテリを定電流充電するように構成される、
ことを特徴とする請求項１０に記載の充電制御装置。
【請求項１３】
前記検出ユニットは、さらに、各定電流充電段階内の前記バッテリに入った電流を検出するように構成される、
ことを特徴とする請求項１２に記載の充電制御装置。
【請求項１４】
前記充電対象機器の充電モードは、無線充電モードと有線充電モードとを含み、前記制御ユニットは、さらに、前記充電モードを選択することによって、前記充電対象機器を制御して無線充電モード又は有線充電モードで前記バッテリを充電するように構成される、
ことを特徴とする請求項８〜１３のいずれかに記載の充電制御装置。
【請求項１５】
充電対象機器であって、
バッテリと、
充電制御装置と、を含み、
前記充電制御装置は、
前記充電対象機器の充電中に、前記充電対象機器内のバッテリに対してＫ段階の定電流充電を行い、Ｋは１以上の正の整数であり、
前記Ｋ段階における各定電流充電段階について、それぞれ当該定電流充電段階に対応する予め設定された電流に従って前記バッテリを定電流充電して、前記バッテリを当該定電流充電段階に対応する予め設定された電圧まで充電し、第Ｋの定電流充電段階に対応する予め設定された電圧は、充電カットオフ電圧であり、前記充電カットオフ電圧は、前記バッテリの定格電圧より大きく、
第Ｋの定電流充電段階において、前記バッテリの電圧が前記充電カットオフ電圧に達したことが検出された場合、前記バッテリへの充電を停止するように構成される、
ことを特徴とする充電対象機器。
【手続補正３】
【補正対象書類名】図面
【補正対象項目名】全図
【補正方法】変更
【補正の内容】
【図１】
2021511001.tif 000011
【図２】
2021511001.tif 000012
【図３】
2021511001.tif 000013
【図４】
2021511001.tif 000014
【図５】
2021511001.tif 000015
【図６】
2021511001.tif 000016
【図７】
2021511001.tif 000017
【図８】
2021511001.tif 000018
【国際調査報告】
2021511001.tif 000019
2021511001.tif 000020
2021511001.tif 000021
2021511001.tif 000022